(57)【要約】【課題】潜動パルスの計量停止状態から、電力負荷の使用開始時の電力量計量期間に復帰した際の最初の１パルスがカウントされず電力計量が不正確になっていた。【解決手段】電力量周波数変換回路３にて入力電圧と入力電流とを乗算処理して出力される電力量に比例した電力パルスのパルス間隔を計時手段４ｄにより計時して、パルス間隔が所定時間Ｔより長いか短いかを潜動判定部４ｆで判定し、パルス間隔が所定時間Ｔより短いときは電力パルスを１個計量し、直前のパルス間隔が所定時間Ｔより長く、今回のパルス間隔が所定時間Ｔより短いときは電力パルスを２個計量させる。【選択図】　　　　図１
2004053455.tif 000002
【特許請求の範囲】
【請求項１】
入力される電圧及び電流をＡ／Ｄ変換後乗算処理して電力量に比例した電力パルスに変換する電力量周波数変換回路と、この電力量周波数変換回路からの電力パルスのパルス間隔を計時する計時手段と、上記電力パルスのパルス間隔が所定時間より長いか短いかを判定する潜動判定部とを備え、
上記電力パルスのパルス間隔が所定時間より短いときは電力量周波数変換回路からの電力パルスを１個計量し、直前のパルス間隔が所定時間より長く、今回のパルス間隔が所定時間より短いときは電力パルスを２個計量するようにしたことを特徴とする電子式電力量計。
【請求項２】
潜動判定部は電力パルスのパルス間隔が所定時間より長いときはローレベル、パルス間隔が所定時間より長いときはハイレベルの潜動制御信号を出力し、上記潜動制御信号と電力パルスの論理和が成立したときに電力パルスを計量するアンドゲートを備えたことを特徴とする請求項１記載の電子式電力量計。
【発明の詳細な説明】
【０００１】
【発明の属する技術分野】
この発明は、電子式電力量計における電力量計量精度向上に関するものである。
【０００２】
【従来の技術】
図４は、例えば特開平６−１０２２９８号公報に示された従来の電子式電力量計のブロック図、図５、図６は従来の電子式電力量計の動作を説明する波形図である。
図において、１は電圧入力端子、２は電流入力端子、３は電圧入力及び電流入力をＡ／Ｄ変換・乗算処理して電力量に比例した電力パルスを出力する電力量周波数変換回路である。４は該電子式電力量計を制御するマイクロコンピュータであり、電力量周波数変換回路３からの電力パルスが入力される割込入力端子４ａ、潜動制御信号出力端子４ｂ、電力パルスカウント入力端子４ｃを備えている。５はアンドゲートであり、電力パルスと潜動制御信号出力端子４ｂ出力の論理和を電力パルスカウント入力端子４ｃへ入力する。６は計量された電力量を数値表示する表示回路である。
【０００３】
電力量周波数変換回路３はデジタル処理化のＡ／Ｄ変換器、乗算回路等からなり、その回路素子のオフセット出力により電流入力がゼロであっても電力パルスと類似したオフセットパルスが出力さる。電流入力がゼロ状態でのオフセットパルス出力間隔は最低計量電力量検出時の電力パルス間隔より長いので、パルス間隔の判定により、正常な電力パルスとオフセットによる潜動パルスとを識別して、オフセットパルスの計量を防止する。パルス間隔の判定基準となる所定時間Ｔは最低計量電力量検出時の電力パルス間隔を基準にこれより長くなるように、下記の設定値及び基準値が設定される。
【０００４】
マイクロコンピュータ４には割込入力端子４ａに接続された内部カウンタを保有しており、この内部カウンタは電力パルスの入力立ち上がり割込時に予め定めた設定値がセットされ、次の電力パルス入力までのクロック数をダウンカウントする。内部カウンタの減数値は次の電力パルス入力までの時間間隔に対応している。そして内部カウンタの残数値が予め定める基準値（設定値＞基準値）を下回れば電力パルス間隔は所定時間Ｔより長いことになる。
【０００５】
次に、具体的な動作について図５により説明する。電力パルス入力が割込入力端子４ａに入ると、マイクロコンピュータ４は内部カウンタを割込作動させる。そして、次の電力パルス入力までの間隔を判別する。パルス間隔Ｔｐ（次の電力パルス入力までの時間）が所定時間Ｔ内のときは、潜動制御信号出力端子４ｂ出力をハイレベル（「Ｈ」）の電力量計量期間にする。これにより、アンドゲート５はその次の電力パルス入力があれば、電力パルスカウント入力端子４ｃへパルス出力して電力量計量がなされる。
パルス間隔Ｔｐが所定時間Ｔを超えると潜動制御信号出力端子４ｂ出力はローレベル（「Ｌ」）になり、潜動計量停止期間になる。潜動計量停止期間はアンドゲート５の一方の入力が「Ｌ」になった状態であるので次の電力パルス入力があっても、電力パルスカウント入力端子４ｃへのパルス出力はなされず、オフセットによる潜動パルスは計量が阻止される。
【０００６】
【発明が解決しようとする課題】
従来の電子式電力量計は上記のように動作し、図６に示すようにパルス間隔Ｔｐが所定時間Ｔを超える潜動パルスの状態（潜動計量停止期間）では潜動パルスの計量は阻止されるが、電力負荷の使用開始後はパルス間隔Ｔｐが所定時間Ｔ内の電力パルスは連続入力となるので、潜動計量停止期間から電力量計量期間に復帰した際の最初の１パルスが計量カウントされず電力計量が不正確になるという課題があった。
この発明は、上記のような課題を解決するためになされたものであり、電力パルスを正確に計量できる電子式電力量計の提供を目的とするものである。
【０００７】
【課題を解決するための手段】
この発明に係る電子式電力量計は、入力電圧及び入力電流を乗算処理して電力量に比例した電力パルスに変換する電力量周波数変換回路と、電力パルスのパルス間隔を計時する計時手段と、電力パルスのパルス間隔が所定時間より長いか短いかを判定する潜動判定部とを備え、電力パルスのパルス間隔が所定時間より短いときは電力パルスを１個計量し、直前のパルス間隔が所定時間より長く、今回のパルス間隔が所定時間より短いときは電力パルスを２個計量するようにしたものである。
【０００８】
また、電力パルスのパルス間隔が所定時間より長いときはローレベル、パルス間隔が所定時間より短いときはハイレベルの潜動制御信号を出力し、潜動制御信号と電力パルスの論理和が成立したときに電力パルスを計量するアンドゲートを備えたものである。
【０００９】
【発明の実施の形態】
実施の形態１．
図１は、この発明の実施の形態１を示す電子式電力量計のブロック図、図２はこの発明の動作を説明する波形図、図３はこの発明の動作を説明するフローチャートである。図において、１〜６は上記従来装置での説明と同様のものである。４ｄはマイクロコンピュータ４内の計時手段、４ｅは計量部、４ｆは潜動判定部である。
【００１０】
動作について説明する。まず、該電子式電力量計が配電線に接続されマイクロコンピュータ４が作動を始めるとイニシャル処理の一環として潜動制御信号（潜動制御信号出力端子４ｂの符号）を「Ｈ」にしておく（Ｓ１）。電力周波数変換回路３からの電力パルスの入力時間間隔を計時手段４ｄにて計時する（Ｓ２）。潜動判定部４ｆは電力パルスの入力間隔が予め設定した所定時間Ｔより長いときは潜動制御信号出力端子４ｂを「Ｌ」にして、つぎの電力パルス入力間隔の計時に移る（Ｓ３〜Ｓ４）。そして、電力パルスの入力間隔が所定時間Ｔより短いときは、それまでの潜動制御信号出力端子４ｂの符号判定をして、「Ｈ」であれば計量部４ｅへ電力パルス１個を計量する（Ｓ３〜Ｓ６）。また、それまでの潜動制御信号の符号が「Ｌ」であれば、計量部４ｅへ電力パルス２個を計量する（Ｓ５、Ｓ７）。そして、電力パルスの累計から潜動制御信号を「Ｈ」にして次の電力パルス入力間隔の計時へ移行する（Ｓ８、Ｓ９）。
【００１１】
この発明の処理では、潜動計量停止期間から電力量計量期間に復帰した際の最初の電力パルスを２パルスにして計量カウントすることで、電力パルスの計量漏れを補正するので、電力パルスを正確にカウントできる。
なお、理解しやすくするために従来装置と同様にアンドゲート５を備える構成で説明をしたが、この部位をコンピュータでのプログラム処理としても同等の効果を奏することは明白である。
【００１２】
【発明の効果】
上述のように、電力パルスのパルス間隔を計時手段４ｄにより計時して、パルス間隔が所定時間Ｔより長いか短いかを潜動判定部４ｆで判定し、パルス間隔が所定時間Ｔより短いときは電力パルスを１個計量し、直前のパルス間隔が所定時間Ｔより長く、今回のパルス間隔が所定時間Ｔより短いときは電力パルスを２個計量させるようにしたので、潜動パルスの計量停止状態から電力負荷の使用開始時の電力量計量期間に復帰した際の最初の１パルスのカウント漏れを補って電力計量が正確になる。
【図面の簡単な説明】
【図１】この発明の電子式電力量計のブロック図である。
【図２】この発明の動作を説明する波形図である。
【図３】この発明の動作を説明するフローチャートである。
【図４】従来の電子式電力量計のブロック図である。
【図５】従来の電子式電力量計の動作を説明する波形図である。
【図６】従来の電子式電力量計の動作を説明する波形図である。
【符号の説明】
３　電力量周波数変換回路、　　４　マイクロコンピュータ、
４ａ　割込入力端子、　　４ｂ　潜動制御信号出力端子、
４ｃ　潜動制御信号出力端子、　　４ｄ　計時手段、
４ｅ　計量部、　　４ｆ　潜動判定部、　　５　アンドゲート、
６　表示回路、　　Ｔ　所定時間、
【図１】
2004053455.tif 000003
【図２】
2004053455.tif 000004
【図３】
2004053455.tif 000005
【図４】
2004053455.tif 000006
【図５】
2004053455.tif 000007
【図６】
2004053455.tif 000008